(57)【要約】【課題】圧縮ＲＡＷ記録方式で撮影する際の撮影可能枚数の表示信頼性を向上する。【解決手段】撮影光学系２０１を介して入射する被写体光は撮像素子２０２に入射し、撮像素子２０２は画像データを出力する。出力された画像データは、非圧縮ＲＡＷ記録方式または圧縮ＲＡＷ記録方式で記録媒体２５０に記録される。圧縮ＲＡＷ記録方式が選択されている場合、記録媒体２５０の残容量と予め定めた目標値（ただし、非圧縮ＲＡＷデータ容量の約１／２の値）とに基づいて撮影可能枚数を演算する。【選択図】  図１
2006287359.tif 000002
【特許請求の範囲】
【請求項１】
撮影光学系を介して入射する被写体光を受光して画像データを出力する撮像素子と、
前記撮像素子から出力される画像データを少なくとも圧縮ＲＡＷ記録方式で記録媒体に記録する記録処理手段と、
前記記録媒体の残容量を検出する残容量検出手段と、
前記残容量検出手段で検出した前記記録媒体の残容量と予め定めた目標値（ただし、非圧縮ＲＡＷデータ容量の約１／２の値）とに基づいて、撮影可能枚数を演算する撮影可能枚数演算手段と、
前記撮影可能枚数演算手段で演算された撮影可能枚数を表示する表示手段とを備えたことを特徴とする電子カメラ。
【請求項２】
請求項１の電子カメラにおいて、
前記撮影可能枚数演算手段は、前記記録媒体の残容量から非圧縮ＲＡＷ画像データ１コマ分の容量を減算したデータ容量を、前記予め定めた目標値で除算した値に所定値を加算して撮影可能枚数を算出することを特徴とする電子カメラ。
【請求項３】
請求項１または２の電子カメラにおいて、
撮像した画像を前記非圧縮ＲＡＷデータとして前記記録媒体に記録する非圧縮ＲＡＷ記録方式と、圧縮ＲＡＷデータとして前記記録媒体に記録する圧縮ＲＡＷ記録方式のうちいずれか一方を選択する選択手段を更に備え、
前記選択手段で前記非圧縮ＲＡＷ記録方式が選択されているとき、前記撮影可能枚数演算手段は、前記残容量検出手段で検出した前記記録媒体の残容量と前記非圧縮ＲＡＷデータ容量とに基づいて撮影可能枚数を演算し、前記選択手段で前記圧縮ＲＡＷ記録方式が選択されているとき、前記撮影可能枚数演算手段は、前記残容量検出手段で検出した前記記録媒体の残容量と前記予め定めた目標値とに基づいて撮影可能枚数を演算することを特徴とする電子カメラ。
【請求項４】
請求項３の電子カメラにおいて、
前記撮像素子から出力される複数コマの画像データを一時記憶する一時記憶手段と、
前記一時記憶手段の残容量を検出する一時記憶手段残容量検出手段と、
前記圧縮ＲＡＷ記録方式と前記非圧縮ＲＡＷ記録方式のいずれが選択されているかに関係なく、前記一時記憶手段残容量検出手段で検出した前記一時記憶手段の残容量と非圧縮ＲＡＷデータ容量とに基づいて、連写可能枚数を演算する連写可能枚数演算手段とをさらに備え、
前記表示手段は、前記連写可能枚数演算手段で演算された連写可能枚数、および前記撮影可能枚数演算手段で演算された撮影可能枚数のうち、いずれか小さい値を表示することを特徴とする電子カメラ。
【発明の詳細な説明】
【技術分野】
【０００１】
本発明は、圧縮ＲＡＷ記録方式で撮影することが可能であり、かつ、撮影可能枚数表示を行うようにした電子カメラに関する。
【背景技術】
【０００２】
従来から、撮像した画像データをＲＡＷデータで記録する記録方式（非圧縮ＲＡＷ記録方式）と、圧縮したＲＡＷデータで記録する記録方式（圧縮ＲＡＷ記録方式）とを選択して撮影するカメラが知られている。また、下記特許文献１には、残コマ数表示（撮影可能枚数表示）を行う電子カメラが開示されている。
【特許文献１】特開２０００１−９４８４９号公報
【発明の開示】
【発明が解決しようとする課題】
【０００３】
従来の電子カメラでは、非圧縮ＲＡＷ記録方式で撮影する際の撮影可能枚数は正確に表示されるが、圧縮ＲＡＷ記録方式で撮影する際の撮影可能枚数が必ずしも適切に表示されないという問題があった。
【課題を解決するための手段】
【０００４】
本発明による電子カメラは、撮影光学系を介して入射する被写体光を受光して画像データを出力する撮像素子と、この撮像素子から出力される画像データを少なくとも圧縮ＲＡＷ記録方式で記録媒体に記録する記録処理手段と、記録媒体の残容量と予め定めた目標値（ただし、非圧縮ＲＡＷデータ容量の約１／２の値）とに基づいて撮影可能枚数を演算する撮影可能枚数演算手段とを備えるものである。
【０００５】
なお、本発明を以下のように変形することもできる。
（１）撮影可能枚数演算手段は、記録媒体の残容量から非圧縮ＲＡＷデータ１コマ分の容量を減算したデータ容量を予め定めた目標値で除算し、その除算結果に所定値を加算して撮影可能枚数を算出する。
（２）撮像した画像を非圧縮ＲＡＷデータとして記録媒体に記録する非圧縮ＲＡＷ記録方式と、圧縮ＲＡＷデータとして記録媒体に記録する圧縮ＲＡＷ記録方式のうちいずれか一方を選択可能とした場合、圧縮ＲＡＷ記録方式が選択されているとき、撮影可能枚数演算手段は、記録媒体の残容量と予め定めた目標値とに基づいて撮影可能枚数を演算し、非圧縮ＲＡＷ記録方式が選択されているとき、記録媒体の残容量と非圧縮ＲＡＷデータ容量とに基づいて撮影可能枚数を演算する。
【発明の効果】
【０００６】
本発明によれば、圧縮ＲＡＷ記録方式における撮影可能枚数を算出するに当たり、従来使用していた非圧縮ＲＡＷデータ容量に比べて小さい目標値を用いることにより、より多くの撮影可能枚数が算出されて表示されることになり、実状に即した信頼性の高い電子カメラを提供することができる。
また、請求項２の発明によれば、記録媒体には必ず非圧縮ＲＡＷ画像１枚分の容量が確保されるので、最後の１枚も非圧縮ＲＡＷ記録方式で撮影することができる。
さらに請求項３の発明によれば、非圧縮ＲＡＷ記録方式と圧縮ＲＡＷ記録方式のいずれか一方を選択した場合、各記録方式に適した計算方法で撮影可能枚数を計算するので、信頼性の高い撮影可能枚数表示が可能となる。
【発明を実施するための最良の形態】
【０００７】
−第１の実施の形態−
以下、図面を参照して本発明の第１の実施の形態による電子カメラを説明する。本実施の形態の電子カメラでは、撮像した画像データを非圧縮ＲＡＷデータで記録する非圧縮ＲＡＷ記録方式と、圧縮ＲＡＷデータで記録する圧縮ＲＡＷ記録方式とを選択することができる。また、電源スイッチが投入されると撮影可能なコマ数（以下、撮影可能枚数）が表示され、半押しスイッチを操作すると、撮影可能枚数と、連写可能枚数の少ない方が表示される。
なお、非圧縮ＲＡＷデータとは、撮像素子の信号をデジタルデータにしたものであり、色変換などの画像処理を施す前のデータであり、圧縮ＲＡＷデータとは、非圧縮ＲＡＷデータの冗長性を利用して可変符号化してデータ圧縮したデータである。
【０００８】
図１は、本発明の一実施の形態による電子カメラの構成を示すブロック図である。図１において、撮像素子（光電変換素子）であるＣＣＤ２０２は、ＣＣＤドライバ２０３からの駆動信号で駆動制御され、撮影光学系２０１を介して入射する被写体像を撮像してアナログ画像信号を出力する。ＣＣＤ２０２から出力される画像信号は、プリプロセス回路２０４で前処理が施された後、Ａ／Ｄ変換回路２０５でデジタル画像信号に変換される。ＡＳＩＣ２０６は画像処理回路として機能し、入力されたデジタル画像信号に対して各種の画像処理を施し、画像処理後の画像データを所定の形式で圧縮して記録する。また、記録済みの圧縮画像データを伸長して表示データに変換する。バッファメモリとして使用するＤＲＡＭ２０７は、ＡＳＩＣ２０６で画像処理、圧縮処理および伸長処理などの処理を施す画像データを一時的に格納するメモリであり、少なくとも４枚の非圧縮ＲＡＷデータを一時記憶することができる。カードＩ／Ｆ２０８にはメモリカードなどの記録媒体２５０が着脱可能に装着され、ＡＳＩＣ２０６で圧縮された画像データや圧縮されない非圧縮ＲＡＷ画像データが記録媒体２５０に記録される。ＲＯＭ２０９には、図４に示すような処理を行う制御プログラムなどが記憶されている。
【０００９】
ＣＰＵ２１１は、上述した画像処理を含めた撮影動作処理を制御するとともに、測距演算や測光演算などの各種演算も行う。また、記録媒体２５０の残容量と予め定めた目標データ容量（以下、ターゲット容量）とに基づいて、あるいは、記録媒体２５０の残容量と非圧縮ＲＡＷ画像のデータ量（以下、非圧縮ＲＡＷデータ容量）とに基づいて、撮影可能枚数を演算する。またＣＰＵ２１１は、ＤＲＡＭ２０７の残容量と非圧縮ＲＡＷデータ容量とに基づいて、連写可能枚数を演算する。カラーモニタ２１０は、演算された連写可能枚数または撮影可能枚数を表示する。ＣＰＵ２１１には、レリーズボタンに連動してレリーズ操作信号を出力するレリーズスイッチ、連写撮影モードを設定するモード設定部材、画質モードを選択する画質選択部材などを含む操作釦２１２が接続されている。またＣＰＵ２１１には電源２１３から電力が供給される。
【００１０】
画質選択部材は、たとえば、不図示の画質ボタンやコマンドダイヤルによって構成され、画質ボタンとコマンドダイアルの選択操作に応じて選択信号を出力する。画質ボタンが押下されている状態でコマンドダイヤルが回転されると、ＣＰＵ２１１は、入力される回転操作信号に応じてＡＳＩＣ２０６に以下の指示を行う。すなわち、記録媒体２５０に画像データを記録する際の記録画質を変更するために、ＡＳＩＣ２０６に画像処理の要否および圧縮処理時の圧縮率を指示する。この実施の形態の電子カメラでは、次の５通りの記録画質を選択できる。画質１側が高画質であり、画質５側が低画質である。
【００１１】
画質１：画像データに画像処理を施さずに記録する「非圧縮ＲＡＷ」
画質２：画像処理前の画像データ（非圧縮ＲＡＷ）を圧縮して記録する「圧縮ＲＡＷ」
画質３：画像処理後の画像データを圧縮率約１／４で記録する「ＦＩＮＥ」
画質４：画像処理後の画像データを圧縮率約１／８で記録する「ＮＯＲＭＡＬ」
画質５：画像処理後の画像データを圧縮率約１／１６で記録する「ＢＡＳＩＣ」
【００１２】
図２および図３を参照して、「圧縮ＲＡＷ」の記録画質が選択された場合に表示される連写可能枚数と撮影可能枚数について説明する。
この実施の形態では、ＤＲＡＭ２０７は、非圧縮ＲＡＷで撮影した画像データを４枚まで記憶できる容量を備えている。また、図２（ａ）では、記録媒体２５０には既に７コマ分の画像データが記憶され、予め定めたターゲット容量の画像データを９コマ分記録できるものとして説明する。このとき、モニタ２１０に撮影可能枚数を表示するためのメモリ２５１には「９」が記憶され、モニタ２１０に連写可能枚数を表示するためのメモリ２５２には「４」が記憶されている。
【００１３】
図２（ａ）の状態で１コマの撮影が終了した場合、図２（ｂ）にハッチング領域「１」で示すように、ＤＲＡＭ２０７には１コマ分の非圧縮ＲＡＷの画像データが記録される。一方、図２（ｂ）の梨地模様の「１」、「２」で示すように、記録媒体２５０では、１コマ分の非圧縮ＲＡＷデータ容量に相当する記録領域を予約する。すなわち、この実施の形態では、ターゲット容量は非圧縮ＲＡＷデータ容量の約１／２に設定されていることになる。したがって、図２（ｂ）に示すように、ＤＲＡＭ２０７には下記（１）式に基づいて算出された３枚分の記録容量が残り、記録媒体２５０には、下記（２）式に基づいて算出された８コマ分記録（領域「３」〜「９」）できる記録容量が残ることになる。
連写可能枚数＝ＡＳＩＣ２０７の残容量／非圧縮ＲＡＷデータ容量          …（１）
撮影可能枚数={(記録媒体250の残容量−非圧縮RAWデータ容量)/ターゲット容量｝＋１    …（２）
【００１４】
したがって、撮影終了直後は、図２（ｂ）に示すように、モニタ２１０に撮影可能枚数を表示するためのメモリ２５１には「８」が記憶され、モニタ２１０に連写可能枚数を表示するためのメモリ２５２には「３」が記憶される。
【００１５】
その後、非圧縮ＲＡＷ画像データが画像処理され所定記録容量に圧縮されて記録媒体２５０に記録される（図２（ｃ）にハッチング模様の「８」の領域）。また、図２（ｃ）に示すように、ＤＲＡＭ２０７には４枚の非圧縮ＲＡＷ画像データを記録可能な容量が再び確保される。したがって、図２（ｃ）に示すように、モニタ２１０に撮影可能枚数を表示するためのメモリ２５１には「８」が記憶され、モニタ２１０に連写可能枚数を表示するためのメモリ２５２には「４」が記憶される。
【００１６】
このように、本発明による実施の形態の電子カメラでは、（２）式に示すように、記録媒体２５０の残容量に基づいて撮影可能枚数を算出するにあたり、非圧縮ＲＡＷデータ容量の約１／２の値であるターゲット容量を１枚当たりの画像容量（画像サイズ）とした。従来は、記録媒体２５０の残容量に基づいて撮影可能枚数を算出するにあたり、非圧縮ＲＡＷデータ容量を１枚当たりの画像容量（画像サイズ）としたいたので、本来の撮影可能枚数よりも少な目に表示されていたが、本実施の形態の電子カメラでは、従来方式に比べて正確に撮影可能枚数を算出して表示することができる。
【００１７】
図３は、記録媒体２５０の残容量による撮影可能枚数がＤＲＡＭ２０７の残容量による連写可能枚数よりも少ない場合の連写可能枚数と撮影可能枚数の表示例を説明する図である。図３（ａ）は、ＤＲＡＭ２０７には非圧縮ＲＡＷ画像データを４コマ記録できる容量が残っており、記録媒体２５０には、既に１３コマ分の画像データが記憶され、予め定めたターゲット容量の画像データが３コマ分記録できる容量が残っている状態を示している。すなわち、ＤＲＡＭ２０７の残容量は４コマ分であるが、記録媒体２５０の残容量による撮影可能枚数が３コマ分であるから、モニタ２１０に撮影可能枚数を表示するためのメモリ２５１には「３」が記憶され、モニタ２１０に連写可能枚数を表示するためのメモリ２５２には「３」が記憶されている。
【００１８】
図３（ａ）の状態で１コマの撮影が終了した場合、図３（ｂ）にハッチング領域「１」で示すように、ＤＲＡＭ２０７には１コマ分の非圧縮ＲＡＷ画像データが記録される。一方、図３（ｂ）の梨地模様の「１」、「２」で示すように、記録媒体２５０では、非圧縮ＲＡＷ画像データ１コマ分に相当する記憶容量を記録予約する。したがって、図３（ｂ）に示すように、ＤＲＡＭ２０７には残り３枚分の記録容量が残り、記録媒体２５０には、上記（２）式で算出された２コマ分記録できる記録容量が残ることになる。
【００１９】
したがって、撮影終了直後のＤＲＡＭ２０７の残容量は３コマ分であるが、記録媒体２５０の残容量による撮影可能枚数が２コマ分であるから、図３（ｂ）に示すように、モニタ２１０に撮影可能枚数を表示するためのメモリ２５１には「２」が記憶され、モニタ２１０に連写可能枚数を表示するためのメモリ２５２には「２」が記憶される。
【００２０】
その後、非圧縮ＲＡＷ画像データが画像処理され所定記録容量に圧縮されて記録媒体２５０に記録される（図３（ｃ）にハッチング模様の「１４」の領域）。また、図３（ｃ）に示すように、ＤＲＡＭ２０７には４枚分の非圧縮ＲＡＷ画像データに相当する記録容量が再び確保される。この場合、ＤＲＡＭ２０７の残容量は４コマ分であるが、記録媒体２５０の残容量による撮影可能枚数が２コマ分であるから、モニタ２１０に撮影可能枚数を表示するためのメモリ２５１には「２」が記憶され、モニタ２１０に連写可能枚数を表示するためのメモリ２５２には「２」が記憶される。
【００２１】
またこの実施の形態による電子カメラでは、「非圧縮ＲＡＷ」記録モードと「圧縮ＲＡＷ」記録モードを選択でき、図２および図３では、「圧縮ＲＡＷ」の記録画質が選択された場合に表示される連写可能枚数と撮影可能枚数について説明したが、「非圧縮ＲＡＷ」記録モードを選択した場合は、下記（３）式により撮影可能枚数を算出する。
撮影可能枚数＝{(記録媒体250の残容量-非圧縮RAWデータ容量)/非圧縮RAWデータ容量｝
＋１    …（３）
【００２２】
このように、画質選択に応じて撮影可能枚数の算出式を切換えることにより、選択した画質モードに最適な撮影可能枚数が表示されるので、撮影可能枚数表示の信頼性が向上する。
【００２３】
図４は、上述したように選択した画質に応じて撮影可能枚数計算式を切換える処理手順の一例を示すフローチャートである。図４のフローチャートは電源スイッチが投入されると起動するプログラムで実行される処理を示している。電源が投入されるとステップＳ１に進み、記録媒体２５０の残容量を検出する。ステップＳ２では、選択されている画質モードを判定し、非圧縮ＲＡＷ（画質１）であればステップＳ４に進み、圧縮ＲＡＷ（画質２）であればステップＳ３に進み、画質３，４，５であればステップＳ５に進む。ステップＳ３では上記（２）式を用いて撮影可能枚数を算出し、ステップＳ４では上記（３）式を用いて撮影可能枚数を算出し、ステップＳ５では各画質モードに対して予め定められた計算式を用いて撮影可能枚数を算出する。ステップＳ３〜５で算出された撮影可能枚数は表示メモリ２５１に格納され、ステップＳ７においてカラーモニタ２１０に表示される。
【００２４】
その後、ステップＳ８で半押しスイッチが操作されたことが判定されると、ステップＳ９でＤＲＡＭ２０７の残容量を検出し、ステップＳ１０において、上記（１）式で連写可能枚数を計算する。この連写可能枚数はステップＳ１１で表示メモリ２５２に格納される。ステップＳ１２では、表示メモリ２５１と２５２にそれぞれ格納されている撮影可能枚数と連写可能枚数のうち小さい値を選択し、カラーモニタ２１０に撮影可能枚数もしくは連写可能枚数として表示される。
【００２５】
本発明の一実施の形態による電子カメラによれば、圧縮ＲＡＷ記録方式における撮影可能枚数を（記録媒体の残容量／１枚当たりのデータ容量目標値）から算出するに当たり、「１枚当たりのデータ容量目標値」として従来使用していた非圧縮ＲＡＷデータ容量に比べて小さいターゲット容量（約１／２の容量）を用いることにより、より多くの枚数が撮影可能と表示されることになり、実状に即した信頼性の高い電子カメラを提供することができる。
【００２６】
また、記録媒体には必ず非圧縮ＲＡＷ画像１枚分の容量が確保されるので、最後の１枚を非圧縮ＲＡＷ記録方式で撮影できないことを防止することができる。
【００２７】
さらに、ＲＡＷ画像データについて非圧縮ＲＡＷ記録方式と圧縮ＲＡＷ記録方式のいずれか一方を選択した場合、各記録方式に適した計算方法で撮影可能枚数を計算するので、信頼性の高い撮影可能枚数表示が可能となる。
【００２８】
なお、以上説明した電子カメラでは、ＲＡＷデータに関する画質モードとして「非圧縮ＲＡＷ」記録方式と「圧縮ＲＡＷ」記録方式のいずれかを選択可能とし、記録媒体に記録可能な撮影可能枚数を計算する式を上記（２）式と（３）式のいずれか一方を、選択された記録方式に基づいて切換えるようにした。しかしながら、本発明は、ＲＡＷデータに関する画質モードとして「圧縮ＲＡＷ」記録方式のみを備える電子カメラにも適用することができる。この場合、計算式を切換えることなく上記（２）式を用いて撮影可能枚数を計算すればよく、また、上記画質３〜５も選択可能とする。
【００２９】
また以上では、ターゲット容量として非圧縮ＲＡＷ画像データの約１／２の値を用いたが、この値は経験的に決定する値であり、約１／２とは、４０パーセント〜７０パーセントの範囲の値であればよい。
【００３０】
本発明は、圧縮ＲＡＷ記録方式で撮影する際の撮影可能枚数を算出するにあたって、記録媒体の残容量を従来のように非圧縮ＲＡＷデータ容量で除算せずに、その値よりも小さい目標値で算出することを特徴とし、その特徴を有する限り、以上の実施の形態に限定されることはない。
【図面の簡単な説明】
【００３１】
【図１】第１の実施の形態による電子カメラの構成例を示す図
【図２】図１の電子カメラによるＤＲＡＭの残容量により算出される連写可能枚数と、記録媒体の残容量により算出される撮影可能枚数を説明する図
【図３】図１の電子カメラによるＤＲＡＭの残容量により算出される連写可能枚数と、記録媒体の残容量により算出される撮影可能枚数を説明する図
【図４】撮影可能枚数や連写可能枚数を計算して表示するための処理手順を説明するフローチャート
【符号の説明】
【００３２】
２０６：ＡＳＩＣ        ２０７：ＤＲＡＭ
２１０：カラーモニタ    ２１１：ＣＰＵ
２１２：操作釦          ２５０：記録媒体
２５１，２５２：表示メモリ
【図１】
2006287359.tif 000003
【図２】
2006287359.tif 000004
【図３】
2006287359.tif 000005
【図４】
2006287359.tif 000006